(57)【要約】【課題】本発明は密封するまでの間に簡易且つ確実に機密古紙等の投入物を保管できる段ボール箱用シートを提供することを目的とする。【解決手段】本発明の段ボール箱用シートは、第一側壁、底面板、第二側壁、天面板及び糊代部がこの順で連設される四角筒状部と、天面板の各端縁から延出する一対の上側外フラップと、底面板の各端縁から延出する一対の下側外フラップと、各側壁の各端縁から延出する二対の内フラップとを備える一枚のシートから構成され、糊代部及び天面部に、糊代部の先端縁から第二側壁に向けて四角筒状部の周方向に沿って設けられた第一破断誘導線と、一方の上側外フラップに設けられ、破断されることで係合部を形成する第二破断誘導線と、一方の上記内フラップに設けられ、破断されることで係合部に係脱可能な被係合部を形成する第三破断誘導線とを備えることを特徴とする。【選択図】図１
2014097810.tif 000002
【特許請求の範囲】
【請求項１】
第一側壁、底面板、第二側壁、天面板及び糊代部がこの順で連設される四角筒状部と、
上記天面板の各端縁から延出する一対の上側外フラップと、
上記底面板の各端縁から延出する一対の下側外フラップと、
上記各側壁の各端縁から延出する二対の内フラップと
を備える一枚のシートから構成される段ボール箱用シートであって、
上記糊代部及び天面部に、糊代部の先端縁から上記第二側壁に向けて四角筒状部の周方向に沿って設けられた第一破断誘導線と、
一方の上記上側外フラップに設けられ、破断されることで係合部を形成する第二破断誘導線と、
一方の上記内フラップに設けられ、破断されることで上記係合部に係脱可能な被係合部を形成する第三破断誘導線と
を備えることを特徴とする段ボール箱用シート。
【請求項２】
上記第一破断誘導線が他方の端縁寄りに設けられている
請求項１に記載の段ボール箱用シート。
【請求項３】
上記第一破断誘導線の上記他方の端縁からの距離が、天面板の上記一方の端縁から他方の端縁までの距離の０．１５倍以上０．４倍以内である請求項２に記載の段ボール箱用シート。
【請求項４】
上記糊代部の先端縁が、上記天面部との連設部位と略平行な略直線状であり、
上記糊代部の一対の側端縁が、上記天面板との連設部位の端部からそれぞれ先端縁に向けて延出して上記先端縁に連続するよう設けられ、
上記一方側の側端縁の上記先端縁との連続位置が、上記他方側の側端縁の上記先端縁との連続位置よりも先端縁の中央側に位置している
請求項２又は請求項３に記載の段ボール箱用シート。
【請求項５】
上記第二破断誘導線が、一の上側外フラップに一対設けられ、
上記第三破断誘導線が、第一側壁及び第二側壁から延出する一対の内フラップにそれぞれ設けられている請求項１から請求項４のいずれか１項に記載の段ボール箱用シート。
【請求項６】
請求項１から請求項５のいずれか一項に記載の段ボール箱用シートが組み立てられて構成された段ボール箱。
【請求項７】
商品が包装された請求項６に記載の段ボール箱の天面部の一部を、上記第一破断誘導線に沿って糊代部及び天面板を破断することで開封する工程、
天面部の一部が開封された上記段ボール箱から商品を取り出す工程、
商品が取り出された上記段ボール箱に機密古紙を収容する工程、
機密古紙の収容が完了した上記段ボール箱を密閉する工程
を有し、
上記機密古紙を収容する工程で、
上記段ボール箱内に機密古紙を投入する手順と、
上記機密古紙を投入する手順の後に天面板を閉め、第二破断誘導線及び第三破断誘導線に沿って破断することで形成された係合部及び非係合部を係合させる手順と、
係合された上記係合部及び非係合部の係合を解除し、上記天面板を開く手順と
を繰り返す機密古紙密封方法。
【発明の詳細な説明】
【技術分野】
【０００１】
本発明は、段ボール箱用シート、段ボール箱及びこの段ボール箱を用いた機密古紙密封方法に関する。
【背景技術】
【０００２】
従来、経理情報、顧客情報、技術情報等の機密性の高い情報が記載された機密資料等の機密古紙は、一定期間保管された後、機密古紙用段ボール箱に密封された状態で溶解処理等の廃棄処理がなされている（特開２０１０−８４２６２号公報参照）。
【０００３】
このような機密古紙用段ボール箱としては、例えばコピー用紙を包装していた段ボール箱のように既に用いられていた包装箱が再利用されることかが一般的である。このような再利用を行う場合、機密古紙用段ボール箱内に所定量以下の機密古紙を投入した際、その後にこの機密古紙用段ボール箱内の空き部分に機密古紙を投入するために機密古紙用段ボール箱を密封せずにフラップを閉じただけの状態で保管される。しかし、フラップを閉じた状態だけであると不用意にフラップが開いてしまうおそれがあり、不用意にフラップが開くと機密古紙用段ボール箱内の機密古紙が風等によって飛散してしまうおそれがある。
【先行技術文献】
【特許文献】
【０００４】
【特許文献１】特開２０１０−８４２６２号公報
【発明の概要】
【発明が解決しようとする課題】
【０００５】
本発明はこのような不都合に鑑みてなされたものであり、密封するまでの間に簡易かつ確実に機密古紙等の投入物を保管することのできる段ボール箱用シート、段ボール箱及びこの段ボール箱を用いた機密古紙密封方法を提供することを目的とする。
【課題を解決するための手段】
【０００６】
上記課題を解決するためになされた発明は、
第一側壁、底面板、第二側壁、天面板及び糊代部がこの順で連設される四角筒状部と、
上記天面板の各端縁から延出する一対の上側外フラップと、
上記底面板の各端縁から延出する一対の下側外フラップと、
上記各側壁の各端縁から延出する二対の内フラップと
を備える一枚のシートから構成される段ボール箱用シートであって、
上記糊代部及び天面部に、糊代部の先端縁から上記第二側壁に向けて四角筒状部の周方向に沿って設けられた第一破断誘導線と、
一方の上記上側外フラップに設けられ、破断されることで係合部を形成する第二破断誘導線と、
一方の上記内フラップに設けられ、破断されることで上記係合部に係脱可能な被係合部を形成する第三破断誘導線と
を備えることを特徴とする段ボール箱用シートである。
【０００７】
当該段ボール箱用シートを組立てた段ボール箱は、上記第一破断誘導線に沿って糊代部及び天面板を破断することで天面部の一部を開封することができ、この開放部分から機密古紙等を内部に投入することができる。このように機密古紙等を内部に投入した後に天面板を閉め、さらに第二破断誘導線及び第三破断誘導線に沿って破断することで形成された係合部及び被係合部を係合させることで、閉めた天面板が不用意に開放することを的確かつ容易に防止することができる。また、係合部と被係合部との係合状態を解除し、天面板を再度開くことで、この開放部分から機密古紙等を内部に再度投入することができ、さらに投入完了後に上述のように天面板の一部を係合部及び被係合部を係合することで確実に閉じることができる。このため、密封するまでの間に段ボール箱用シート内に簡易且つ確実に機密古紙等の投入物を保管することができる。また、当該段ボール箱は、上述のように天面部の一部のみを開封し、天面部の他部をそのままの状態としておくことで、当該段ボール箱の強度が維持されやすい。
【０００８】
上記第一破断誘導線を他方の端縁寄りに設けるとよい。これにより、天面板の第一破断誘導線よりも他方側の部分を開けることで、広い開放部分を得ることができ、機密古紙の投入が容易かつ確実に行うことができる。
【０００９】
上記第一破断誘導線の上記他方の端縁からの距離が、天面板の上記一方の端縁から他方の端縁までの距離の０．１５倍以上０．４倍以内であるとよい。これにより、第一破断誘導線に沿って破断することで形成される開放部分から容易に機密古紙を投入できるとともに、上述のように第一破断誘導線に沿って破断しても当該段ボール箱用シートの強度を十分に保つことができる。
【００１０】
上記糊代部の先端縁が、上記天面部との連設部位と略平行な略直線状であり、上記糊代部の一対の側端縁が、上記天面板との連設部位の端部からそれぞれ先端縁に向けて延出して上記先端縁に連続するよう設けられ、上記一方側の側端縁の上記先端縁との連続位置が、上記他方側の側端縁の上記先端縁との連続位置よりも先端縁の中央側に位置しているとよい。これにより、上述のように第一破断誘導線に沿って破断することで天面板の一部を開けた後に、この天面板の一部から延出する糊代部（第一破断誘導線に沿って切断された糊代部の一方側の部分）を側壁よりも内側に挿入しつつ天面板を閉める際に、上記一方側の端縁と先端縁との連続位置が先端縁の中央側に位置していることで糊代部を第一側壁の内側に容易かつ確実に装入することができる。
【００１１】
第二破断誘導線を、一の上側外フラップに一対設け、第三破断誘導線を、第一側壁及び第二側壁から延出する一対の内フラップにそれぞれ設けるとよい。これにより、上述のように天面板の一部を閉じた際に二対の係合部と被係合部との係合によって天面板の閉塞状態をより確実に維持し得る。
【００１２】
また、上記課題を解決するためになされた発明は、上記構成からなる当該段ボール箱用シートが組み立てられて構成される段ボール箱である。当該段ボール箱は、上述のように密封するまでの間に簡易且つ確実に機密古紙等の投入物を保管することができ、また、天面部の一部のみを開封し、天面部の他部をそのままの状態としておくことで、当該段ボール箱の強度が維持されやすい。
【００１３】
また、上記課題を解決するためになされた発明は、
商品が包装された上記構成からなる当該段ボール箱の天面部の一部を、上記第一破断誘導線に沿って糊代部及び天面板を破断することで開封する工程、
天面部の一部が開封された当該段ボール箱から商品を取り出す工程、
商品が取り出された当該段ボール箱に機密古紙を収容する工程、
機密古紙の収容が完了した当該段ボール箱を密閉する工程
を有し、
上記機密古紙を収容する工程で、
当該段ボール箱内に機密古紙を投入する手順と、
上記機密古紙を投入する手順の後に天面板を閉め、第二破断誘導線及び第三破断誘導線に沿って破断することで形成された係合部及び非係合部を係合させる手順と、
係合された上記係合部及び非係合部の係合を解除し、上記天面板を開く手順と
を繰り返す機密古紙密封方法である。
【００１４】
当該機密古紙密封方法は、上述のように天面板の一部を開閉することで機密古紙を当該段ボール箱内に投入でき、また係合部及び被係合部の係合によって上記天面板の一部を容易かつ確実に閉じることができるので、密封するまでの間に当該段ボール箱内に簡易且つ確実に機密古紙を保管することができる。
【発明の効果】
【００１５】
以上説明したように、本発明の段ボール箱用シート、段ボール箱及びこの段ボール箱を用いた機密古紙密封方法は、密封するまでの間に機密古紙等の投入物を簡易かつ確実に保管することができる。
【図面の簡単な説明】
【００１６】
【図１】本発明の一実施形態に係る機密古紙用段ボール箱用シートを示す平面図である（段ボール箱の展開図である）。
【図２】図１の機密古紙用段ボール箱の梱包形態を示す斜視図である。
【図３】図１の機密古紙用段ボール箱を開封し、内部の商品を取り出した状態を示す斜視図である。
【図４】図１の機密古紙用段ボール箱の天面板の一部を閉じ、係合部と被係合部とを係合させた状態を示す斜視図である。
【発明を実施するための形態】
【００１７】
以下、適宜図面を参照しつつ、本考案の実施形態を詳説する。
【００１８】
［段ボール箱用シート及び段ボール箱］
図２から図４に示す機密古紙用段ボール箱１（以下、単に「段ボール箱」ということがある）は、図１に示す段ボール箱用シート１が組み立てられて構成される。この段ボール箱用シート１は、第一側壁１１、底面板１２、第二側壁１３、天面板１４及び糊代部１５がこの順で連設される四角筒状部１０と、上記天面板１４の各端縁から延出する一対の上側外フラップ２０と、上記底面板１２の各端縁から延出する一対の下側外フラップ３０と、上記各側壁１１，１３の各端縁から延出する二対の内フラップ４０とを備えている。
【００１９】
この段ボール箱１は、封緘状態で直方体形状に形成され、均一な厚さの一枚の段ボールシートを用いて形成される。そして、段ボール箱１には、封緘状態において商品が収容される。ここで、当該段ボール箱１のサイズとしては特に限定されず、内容物である商品の大きさ等を考慮して適宜設定される。例えば、内容物がコピー用紙等の紙を包装した包装体である場合には、段ボール箱１の大きさとしては幅（内寸）２９ｃｍ以上３１ｃｍ以下で奥行（内寸）４１ｃｍ以上４３ｃｍ以下とすることで、Ａ４サイズ又はＡ３サイズの紙の包装体を的確に収容することができる。また、段ボール箱１の大きさとしては幅（内寸）２５ｃｍ以上２７ｃｍ以下で奥行（内寸）３５ｃｍ以上３７ｃｍ以下とすることで、Ｂ５サイズ又はＢ４サイズの紙の包装体を的確に収容することができる。この何れの場合においても、段ボール箱１の高さ（内寸）は適宜設定可能であるが、例えば２２ｃｍ以上２４ｃｍ以下とすることができる。なお、段ボール箱１における上記幅は天面板１４及び底面盤の幅に相当し、上記奥行は四角筒状部１０の軸方向の長さに相当し、上記高さは第一側壁１１及び第二側壁１３の幅に相当する。なお、それぞれ内寸とは直方体形状に形成された状態（箱状態）において内部の収容空間部の大きさを意味する。
【００２０】
また、段ボール箱１には、四角筒状部１０の構成部位（第一側壁１１、底面板１２、第二側壁１３、天面板１４及び糊代部１５）の連設部位、及び各フラップ２０，３０，４０が延出される上記各構成部位の端縁に折り曲げを容易に行うための折り目が形成されており、図１の段ボール箱１の展開図中の細線はこの折り目を示しており、これらの折り目としては罫線加工を採用可能である。
【００２１】
天面板１４及び底面板１２は、同型及び同サイズの矩形形状を有している。第一側壁１１及び第二側壁１３も同型及び同サイズの矩形形状を有している。また、天面板１４、底面板１２、第一側壁１１及び第二側壁１３は一方向（奥行方向）の長さが等しく、これらの面壁によって直方体形状を有する四角筒状部１０が形成される。
【００２２】
糊代部１５は、略矩形形状を有している。この糊代部１５は、一方向の長さが上記天面板１４等と略等しく設けられ、幅が第一側壁１１及び第二側壁１３の幅よりも小さく、例えば０．１倍以上０．２倍以下程度に設けられている。この糊代部１５は、先端縁１５ａが上記天面板１４との連設部位と略平行な略直線状に設けられている。そして、上記糊代部１５の一対の側端縁が、上記天面板１４との連設部位の端部（端縁付近）からそれぞれ先端縁１５ａに向けて延出して上記先端縁１５ａに連続するよう設けられている。この一対の側端縁のうち一方（後述する第二破断誘導線３及び第三破断誘導線４の形成される側）の側端縁の上記先端縁１５ａとの連続位置１５ｂは、他方の側端縁の上記先端縁１５ａとの連続位置１５ｃよりも中央側に位置している。つまり、糊代部１５は、各先端コーナー部がアール状に角落としされた形状を有しおり、そして上記一方の先端コーナー部が他方の先端コーナー部に比べて曲率が大きく設けられている。より具体的には、上記一方の側端縁は、上記天面板１４との連設部位の端部から中央に傾斜しつつ先端縁１５ａに向けて延出し、上記先端縁１５ａに連続するよう設けられており、上記他方の側端縁は、上記天面板１４との連設部位の端部からこの連設部位と直交する方向に延出し、先端縁１５ａ付近でアール状に湾曲しつつ上記先端縁１５ａに連続するよう設けられている。
【００２３】
上記天面板１４は、上述のように一方の側縁に第二側壁１３が連設され、この第二側壁１３が連設された側と反対側の側縁に糊代部１５が連設されている。また、上記底面板１２は、上述のように各側縁に第一側壁１１及び第二側壁１３が連設されている。当該段ボール箱１は、第一側壁１１と糊代部１５とを接合することによって四角筒状部１０が筒状に設けられる。
【００２４】
当該段ボール箱１は、上述のように四角筒状部１０を筒状に設けた後、４つの内フラップ４０を四角筒状部１０の内側に向かって略直角に折り込み、２つの上側外フラップ２０及び２つの下側外フラップ３０を内フラップ４０に重なるようにそれぞれ四角筒状部１０の内側に向かって略直角に折り込むことで、２つの対面する側面部を形成することができる。この際、上側外フラップ２０及び下側外フラップ３０の内面を内フラップ４０の外面に接着剤等で接着することによって、側面部が固定され、当該段ボール箱１の封緘状態が完成する。
【００２５】
上記各フラップ２０，３０，４０は略方形に形成されている。また、上側外フラップ２０及び下側外フラップ３０の高さ（箱状態における上下方向長さ）は、内フラップ４０の幅（箱状態における横方向長さ）の略半分であり、箱状態において上側外フラップ２０の端縁と下側外フラップ３０の端縁とを突き合わせて略隙間が生じないようにこれらのフラップは固定される。
【００２６】
当該段ボール箱用シート１で商品を梱包する手順は、例えば、次のようにすることができる。まず、展開状態で底面板１２の上に梱包する商品を載置し、天面板１４、底面板１２、第一側壁１１及び第二側壁１３の各連設部位を折り曲げ、糊代部１５を第一側壁１１に接合して商品を囲繞する四角筒状部１０を形成する。次に、上側外フラップ２０、下側外フラップ３０及び内フラップ４０を上述したように折り込んで側面部を形成することによって、当該段ボール箱１による商品の梱包が完成する。
【００２７】
当該段ボール箱用シート１を構成する段ボールシートとしては、強度の高さ及び加工成形の容易さの観点から、波形に形成された中芯、この中芯の表面側に積層される表ライナ及び裏面側に積層される裏ライナを備える両面段ボールが用いられている。なお、四角筒状部１０の周方向と、この段ボールシートの波目方向（中芯の稜線に沿う方向）とは平行に配設される。
【００２８】
当該段ボール箱１は、糊代部１５及び天面板１４に、糊代部１５の先端縁１５ａから第二側壁１３に向けて四角筒状部１０の周方向に沿って設けられた第一破断誘導線２を備えている。具体的には、この第一破断誘導線２は、糊代部１５の先端縁１５ａを始点とし、天面板１４の第二側壁１３との連設部位を終点としている。また、この第一破断誘導線２は、展開状態において天面板１４の端縁（上側外フラップ２０が延出される端縁）と略平行であり、箱状態において各フラップから構成される上記側面部と略平行である。
【００２９】
この第一破断誘導線２は、天面板１４の奥行方向中央部ではなく、他方（後述する第二破断誘導線２及び第三破断誘導線３の形成されていない側）の端縁寄りに設けられている。具体的には、第一破断誘導線２は、一方の端縁から約３２ｃｍで他方の端縁から約１１ｃｍの位置に形成されている。ここで、第一破断誘導線２は、上記他方の端縁からの距離が、天面板１４の奥行（一方の端縁から他方の端縁までの距離）の０．１５倍以上０．４倍以内であることが好ましく、０．２倍以上０．３倍以下であることがより好ましい。上記第一破断誘導線２の一方の端縁からの上記距離が上記上限値を超えると、後述するように第一破断誘導線２を破断することで天面板１４の一部を開放した際の開放部分を十分に広くすることができなくなるおそれがある。一方、上記第一破断誘導線２の上記距離が上記下限値未満とすると、上述のように天面板１４の一部を開放した際に第一側壁１１との接合状態が維持される糊代部１５の部分の接合強度に欠けてしまうおそれがある。
【００３０】
また、当該段ボール箱１は、上側外フラップ２０に設けられ、破断されることで係合部２１を形成する第二破断誘導線３と、上記内フラップ４０に設けられ、破断されることで上記係合部２１に係脱可能な被係合部４１を形成する第三破断誘導線とを備えている。この第二破断誘導線３は、一対の上側外フラップ２０のうち一方側の上側外フラップ２０に一対設けられている。また、第三破断誘導線４は、第一側壁１１及び第二側壁１３から上記他方側に延出する一対の内フラップ４０にそれぞれ設けられている。ここで、第二破断誘導線３及び第三破断誘導線４は、箱状態に組み立てられた際に互いに対面する位置に設けられ、このため形成された係合部２１と被係合部４１とが互いに係合可能となっている。
【００３１】
上記係合部２１及び被係合部４１の一方は穿孔として形成され、他方はこの穿孔に係脱可能な突起として形成されており、これにより穿孔に突起を係合することで係合部２１及び被係合部４１の係合状態が得られる。具体的には、第二破断誘導線３に沿って上側外フラップ２０に形成される係合部２１は穿孔として形成されており、第三破断誘導線４に沿って内フラップ４０に形成される被係合部４１は突起として形成されている。
【００３２】
上記係合部２１及び被係合部４１は、封緘状態における上側外フラップ２０と内フラップ４０との糊付け位置と異なる位置に形成されている。具体的には、封緘状態において上側外フラップ２０と内フラップ４０とは、上側外フラップ２０の上下端部付近において糊付けされており、上記穿孔２１は、上側外フラップ２０の上下方向中央付近に形成されている。また、上記突起４１は、内フラップ４０の上部（上下二つの領域に分けた際の情報の領域）の上下方向中央付近に形成されている。
【００３３】
上記穿孔２１は、上下方向に沿って形成された長孔から構成されている。上記突起４１は、上記穿孔２１の幅（長手方向の長さ）よりも同幅若しくは若干小さい軸部４２と、この軸部４２から延設され軸部４２よりも最大幅の広い突部４３とを有している。なお、上記突部４３は、上記長孔に貫入脱でき、かつ上記穿孔２１の幅と同幅若しくは若干大きい最大幅を有している。
【００３４】
また、突起４１は、突部４３と軸部４２との間に段が形成されており、係合状態において上記段に穿孔２１の周縁が引っ掛かることで係合部２１及び被係合部４１の係合が不用意に解除されず、より確実に係合状態が維持される。
【００３５】
さらに、突起４１の突部４３は、突出側の端縁の形状が突出方向につれて幅が狭まった形状に形成されている。具体的には、突部４３の突出側の端縁が円弧状に形成されている。このため、係合部２１と被係合部４１とを係合するに際して、突起４１を穿孔２１に貫入させやすい。
【００３６】
また、上記軸部４２には穿孔２１に係合させる際に突起４１を容易に折り曲げるための罫線４２ａが形成されている（図１参照）。この罫線４２ａは、第一側壁１１との連設部位（罫線）に略平行に設けられ、また罫線４２ａは第一側壁１１との連設部位との距離が段ボールシートの厚み程度とされている。
【００３７】
上記第一破断誘導線２、第二破断誘導線３及び第三破断誘導線４は、段ボールシートにミシン目加工やハーフカット加工を施すことで設けることができ、具体的には、例えばミシンメ及びハーフカット加工が施された易破断線や、ミシン目加工のみがされている通常破断線を採用可能である。なお、ミシン目加工とは、段ボールシートの表面から裏面に貫通した切断部（ミシン目）を一定の間隔で形成するものであり、ハーフカット加工とは、段ボールシートを構成するライナの一方をカットするものであり、上記易破断部分は、ミシン目を形成し、このミシン目を繋ぐように表面又は裏面どちらかのライナをカットして形成することができる。
【００３８】
なお、当該段ボール箱１は、上側外フラップ２０及び下側外フラップ３０の端縁の中央に円弧状の切欠部を有する。この切欠部は、指を挿入可能な大きさに形成されており、開封時等においてここに指を挿入して上側外フラップ２０を把持することで天面板１４を容易に開くことができる。
【００３９】
［当該段ボール箱を用いた機密古紙密封方法］
次に、当該段ボール箱１の使用方法について説明する。
【００４０】
当該段ボール箱１は、上述したように通常のラップラウンド型段ボール箱と同様の方法で商品を図２に示すように梱包できる。当該段ボール箱１は、第一破断誘導線２に沿って糊代部１５及び天面板１４を破断することで天面板１４（及びこれに連設される糊代部１５及び上側外フラップ２０）を開き開封することができる。そして、このように天面板１４が開かれた開放部分から商品を取り出すことができる。
【００４１】
そして、図３に示すように商品が取り出された段ボール箱１に機密古紙を収容することができる。この収容に際しては、まず、第二破断誘導線及び第三破断誘導線に沿って上側外フラップ２０及び内フラップ４０を破断することで係合部２１及び被係合部４１を形成しておく。そして、段ボール箱１内に機密古紙を投入する手順と、機密古紙を投入する手順の後に天面板１４（及びこれに連設される糊代部１５及び上側外フラップ２０）を閉め、図４に示すように係合部２１及び非係合部２１を係合させる手順と、係合された上記係合部２１及び非係合部２１の係合を解除し、上記天面板１４を開く手順とが繰り返される。なお、上述のように天面板１４を閉める際には、糊代部１５を第一側壁１１の内側に装入する（図３参照）。また、係合部２１と被係合部４１との係合に際しては、まず突起４１を立てた状態で天面板１４を閉じて、その後突起４１を折り曲げつつ穿孔２１に外側から装入することで突起４１と穿孔２１とを係合させる。
【００４２】
上述のように機密古紙が収容され、段ボール箱１内に機密古紙が満たされた後に、天面板１４を閉じて、段ボール箱１を密閉する。具体的には、粘着テープを用いて天面板１４が開かないよう固定することで上記密閉がなされる。この密閉に際しては、上記糊代部１５を第一側壁１１の外側に位置するよう天面板１４を閉じることも可能であり、また係合部２１と被係合部４１とを係合させてもさせなくともよい。
【００４３】
［利点］
当該段ボール箱１は、係合部２１及び被係合部４１を係合させることで、閉めた天面板１４が不用意に開放することを的確かつ容易に防止することができる。また、係合部２１と被係合部４１との係合状態を解除し、天面板１４を再度開くことで、この開放部分から機密古紙を内部に再度投入することができ、さらに投入完了後に上述のように天面板１４の一部を係合部２１及び被係合部４１を係合することで確実に閉じることができる。このため、密封するまでの間に段ボール箱１内に簡易且つ確実に機密古紙を保管することができる。
【００４４】
しかも、当該段ボール箱１は天面板１４の一部を開封するのみで天面板１４の他部はそのまま第一側壁１１に接合された状態であるので、当該段ボール箱１は開封状態であっても十分な強度を有している。
【００４５】
また、第一破断誘導線２を他方の端縁寄りに設けているので、天面板１４の第一破断誘導線２よりも一方側の部分を開けることで、広い開放部分を得ることができ、機密古紙の投入が容易かつ確実に行うことができる。
【００４６】
また、糊代部１５は、上記一方の側端縁の上記先端縁１５ａとの連続位置１５ｂが、上記他方の側端縁の上記先端縁１５ａとの連続位置１５ｃよりも中央側に位置しているので、上述のように天面板１４を閉じる際に糊代部１５を第一側壁１１よりも内側に装入しつつ天面板１４を閉めやすい。つまり、上述のように一方の側端縁と先端縁１５ａとの連続位置１５ｂが中央側に位置しているため、まず天面板１４の一部に連設される糊代部１５の先端縁１５ａが第一側壁１１の内側に入りこみやすく、そのまま糊代部１５を第一側壁１１の内側に装入させやすい。さらに、この糊代部１５は、天面板１４の端部付近から延出しているので、糊代部１５を第一側壁１１の内側に装入した際に、この糊代部１５の端縁が内フラップ４０の内側と当接しやすく、天面板１４の閉塞状態が維持されやすい。
【００４７】
さらに、一対の第二破断誘導線３が一の上側外フラップ２０に設けられ、一対の第三破断誘導線４が第一側壁１１及び第二側壁１３から延出する一対の内フラップ４０にそれぞれ設けられているので、天面板１４の一部を閉じた際に二対の係合部２１と被係合部４１との係合によって天面板１４の閉塞状態をより確実に維持し得る。しかも、被係合部４１としての突片の突部４３が突出方向につれて幅が狭まった形状に形成されているので、係合部２１と被係合部４１とを係合するに際して突起４１を係合部２１である穿孔２１に貫入させやすい。また、突起４１は、突部４３と軸部４２との間に段が形成されているので、係合状態において突起４１の上記段が穿孔２１の周縁に引っ掛かりやすく、係合部２１及び被係合部４１の係合が不用意により解除されにくい。
【００４８】
［その他の実施形態］
上記実施形態は上記構成から上述の利点を奏するものであったが、本発明は上記実施形態の構成に限定されるものではなく、本発明の意図する範囲内において適宜設計変更可能である。
【００４９】
つまり、上記実施形態にあっては、一対の係合部２１及び一対の被係合部４１を設けるものについて説明したが、本発明はこれに限定されるものではなく、少なくとも一つの係合部及び被係合部を有するものであれば、本発明の意図する範囲内である。また、上記実施形態においては、係合部２１として穿孔２１、被係合部４１として突起４１が形成されるものについて説明したが、本発明はこれに限定されるものではなく、例えば係合部２１として突起、被係合部４１として穿孔が形成されるものであっても良い。
【００５０】
さらに、上記実施形態においては、突起４１を外側から穿孔２１に装入するものについて説明したが、例えば突起４１を内側から穿孔２１に装入することも可能である。また、糊代部１５を第一側壁１１の外側に位置するよう天面板１４を閉じることも可能である。
【００５１】
また、上記実施形態においては、第一破断誘導線２の終点が天面板１４の第二側壁１３との連設部位であるものについて説明したが、本発明はこれに限定されるものではなく、例えば天面板の途中まで第一破断誘導線２を設ける、つまり第一破断誘導線２の終点を天面板の中途部分とすることも可能である。この場合において、天面板の中途部分まで第一破断誘導線に沿って破断することで、天面板を上記中途部分まで開くことで、この開放部分から機密古紙を投入することになる。しかしながら、この場合には、上記実施形態に比べて開放部分が小さくなり比較的投入しにくくなり、また天面板の一部を容易に開閉するために天面板に別途折り目を形成したり、また開閉に際して天面板に連設される上側外フラップが邪魔にならないように上側外フラップを切断等する必要があるため、上記実施形態のように第一破断誘導線２の終点が天面板１４の第二側壁１３との連設部位とすることが好ましい。
【００５２】
さらに、上記実施形態においては機密古紙用段ボール箱（及び機密古紙用段ボール箱用シート）について説明したが、本発明の段ボール箱（及び段ボール箱用シート）の用途はこれに限定されるものではなく、例えばその他の投入物を保管するために利用することも適宜設計変更可能である。
【産業上の利用可能性】
【００５３】
本発明の機密古紙用段ボール箱は、例えばコピー用紙を梱包する包装箱などに好適に用いられ、この包装箱を再利用して機密古紙を密封する箱として好適に用いられる。
【符号の説明】
【００５４】
１  段ボール箱
２  第一破断誘導線
３  第二破断誘導線
４  第三破断誘導線
１０  四角筒状部
１１  第一側壁
１２  底面板
１３  第二側壁
１４  天面板
１５  糊代部
１５ａ  先端縁
１５ｂ  連続位置
１５ｃ  連続位置
２０  上側外フラップ
２１  係合部（穿孔）
３０  下側外フラップ
４０  内フラップ
４１  被係合部（突起）
４２  軸部
４２ａ  罫線
４３  突部
【図１】
2014097810.tif 000003
【図２】
2014097810.tif 000004
【図３】
2014097810.tif 000005
【図４】
2014097810.tif 000006